(57)【要約】【課題】  ＢＣＡを読み出した信号に重畳されている高周波信号を峻別する閾値を変化させて赤色レーザ又は青色レーザの片方のみで、赤色レーザを使用するディスクと青色レーザを使用するディスクを判別できる光ディスク装置及び光ディスク判別方法を提供する。【解決手段】  ディスクに形成されたＢＣＡ２０２にレーザ光を照射可能な光ディスク装置において、ＢＣＡ２０２に赤色レーザ光と青色レーザ光の少なくともどちらか一方を照射するヘッド１０１と、このヘッド１０１によって照射された赤色レーザ光又は青色レーザ光の反射光から再生信号を検出し、この再生信号に重畳されている高周波信号を峻別するための閾値を変化させるよう制御する制御回路１０５と、この制御回路１０５によって変化された閾値を設定する処理回路１０４とを具備することを特徴とする。【選択図】  図１
2006155822.tif 000002
【特許請求の範囲】
【請求項１】
ディスクに形成されたＢＣＡ領域にレーザ光を照射可能な光ディスク装置において、
前記ＢＣＡ領域に波長の長い第１のレーザ光と前記第１のレーザ光より波長の短い第２のレーザ光の少なくともどちらか一方を照射するヘッドと、
このヘッドによって照射された前記第１のレーザ光または前記第２のレーザ光の反射光から再生信号を検出し、この検出された前記再生信号に重畳されている高周波信号を峻別するための閾値を変化させるよう制御する制御回路と、
この制御回路によって変化された前記閾値を設定する処理回路とを具備することを特徴とする光ディスク装置。
【請求項２】
前記高周波信号は、前記ディスクに記録されたピット又はマーク長の再生信号であることを特徴とする請求項１記載の光ディスク装置。
【請求項３】
ディスクに形成されたＢＣＡ領域にレーザ光を照射可能な光ディスク装置のディスク判別方法において、
前記ＢＣＡ領域に波長の長い第１のレーザ光と前記第１のレーザ光より波長の短い第２のレーザ光の少なくともどちらか一方を照射し、
照射された前記第１のレーザ光または前記第２のレーザ光の反射光から再生信号を検出し、検出された前記再生信号に重畳されている高周波信号を峻別するための閾値を変化させるよう制御し、
この制御によって前記閾値を設定させて前記ディスクの種別を判別することを特徴とする光ディスク判別方法。
【請求項４】
前記高周波信号は、前記ディスクに記録されたピット又はマーク長の再生信号であることを特徴とする請求項３記載の光ディスク判別方法。
【発明の詳細な説明】
【技術分野】
【０００１】
この発明は、光ディスクに対して情報を記録又は再生を行うための光ディスク装置に関し、特に、赤色レーザ若しくは青色レーザのどちらかを使用して赤色レーザを使用する光ディスクと青色レーザを使用する光ディスクの判別を行うことができる光ディスク装置及び光ディスク判別方法に関する。
【背景技術】
【０００２】
周知のように、情報の高密度記録が可能な光ディスクとして、片面１層容量が４．７ＧＢ（ギガバイト）を有する光ディスク（現世代ＤＶＤ）が実用化されている。例えば、再生専用の光ディスクであるＤＶＤ−ＲＯＭ（Digital Versatile Disk−Read Only Memory）、ＤＶＤ−ＲＷ（Rewritable）、ＤＶＤ−ＲＡＭ（Random Access Memory）等があり、これらは主に赤色レーザ（例えば、６５０ｎｍ）を使用する光ディスクである。
【０００３】
しかしながら、近年では、ＢＳデジタル放送や地上波デジタル放送が始まり、デジタル放送の解像度で録画できる数十ギガバイトを有する次世代のＤＶＤ（以下、ＨＤ  ＤＶＤと称す）の開発が行われ実用化されつつある。このＨＤ  ＤＶＤについても、再生専用の光ディスクや追記又は書換え可能な光ディスク等があり、これらは主に青色レーザ（例えば、４０５ｎｍ）を使用する光ディスクである。
【０００４】
以上のように、現世代ＤＶＤだけでも光ディスクの種類が多いのに、これにＨＤ  ＤＶＤも混在するようになった場合、光ディスクの判別が非常に重要になってくる。従来の光ディスク装置には、ＤＶＤ−ＲＡＭ、ＤＶＤ−Ｒ、ＤＶＤ−ＲＷを判別するものがある（例えば、特許文献１参照）。また、本発明のディスク判別に使用するＢＣＡ（Burst Cutting Area）のデータ読み出し方法が開示されたものがある（例えば、特許文献２参照）。さらに、ＢＣＡに関する基本的な技術解説が開示されているものがある（例えば、非特許文献１）。
【特許文献１】特開２００３−２１７１３５号公報
【特許文献２】特開平１０−２２８７１３号公報
【非特許文献１】National Technical Report VOL43, No3, JUN 1997
【発明の開示】
【発明が解決しようとする課題】
【０００５】
上記特許文献１に記載の技術によると、異なるディスク半径におけるトラッキングエラー信号を取得し、これを用いることによってディスクの種別を判別するものである。しかしながら、特許文献１ではＢＣＡを読むことによりディスクの種別を判別しているものではないし、ＨＤ  ＤＶＤに対応してもいない。
【０００６】
また上記特許文献２に記載の技術によると、ＢＣＡデータ読み出し位置にピックアップを移動させるときに、一旦、ディスクの基準位置に移動させてからＢＣＡデータ読み出し位置に移動させるようにしたものである。しかしながら、特許文献２ではＢＣＡの読み出し方を示しており、ディスクの種別を判別しているものではない。
【０００７】
また上記非特許文献１に記載の技術によると、ＤＶＤのＲＯＭディスクへの個別情報記録技術ＢＣＡの基本的な技術を示したものである。しかしながら、非特許文献１ではＢＣＡを用いたディスク種別の判別方法に言及していない。
【０００８】
そこで、本発明は上記の問題を解決するために成されたものであり、ＢＣＡを読み出した信号に重畳されている高周波信号を峻別させることで赤色レーザを使用する光ディスクと青色レーザを使用する光ディスクを判別することができる光ディスク装置及び光ディスク判別方法を提供する。
【課題を解決するための手段】
【０００９】
上記した課題を解決するために、この発明は、ディスクに形成されたＢＣＡ領域にレーザ光を照射可能な光ディスク装置において、前記ＢＣＡ領域に波長の長い第１のレーザ光と前記第１のレーザ光より波長の短い第２のレーザ光の少なくともどちらか一方を照射するヘッドと、このヘッドによって照射された前記第１のレーザ光または前記第２のレーザ光の反射光から再生信号を検出し、この検出された前記再生信号に重畳されている高周波信号を峻別するための閾値を変化させるよう制御する制御回路と、この制御回路によって変化された前記閾値を設定する処理回路とを具備することを特徴とする。
【発明の効果】
【００１０】
この発明によれば、ＢＣＡを読み出した信号に重畳されている高周波信号を峻別する閾値を変化させることで赤色レーザ、若しくは青色レーザの片方のみで、赤色レーザを使用する光ディスクと青色レーザを使用する光ディスクが判別可能となる。
【発明を実施するための最良の形態】
【００１１】
以下、この発明の実施例について、図面を参照しながら詳細に説明する。
【００１２】
図１は、本発明の光ディスク装置に係る実施の形態の概略構成を示すブロック図である。図１に示すように、光ディスク媒体１００にピックアップヘッド（ＰＵＨ）１０１から適切なレーザ光を照射する事で検出された再生信号は、図示しない再生アンプを経由し、再生ＲＦ信号１０２として、フロントエンドＬＳＩ１０３に入力される。フロントエンドＬＳＩ１０３は再生ＲＦ信号１０２からデータ生成を行うデジタル信号処理回路１０４及びそれを制御するプロセッサ１０５を構成要素の一部とする。なお、適切なレーザ光の照射とは、ＤＶＤ−ＲＯＭ、ＤＶＤ−ＲＡＭ、ＤＶＤ−Ｒ／ＲＷ、及びＤＶＤ＋Ｒ／ＲＷの読み出しが可能な波長６５０ｎｍの赤色レーザ、又はＨＤ  ＤＶＤの読み出しが可能な波長４０５ｎｍの青色レーザで光ディスク媒体の信号記録面にフォーカスがかかった状態の事を言う。
【００１３】
図２は光ディスク媒体２０１におけるＢＣＡ（Burst Cutting Area）の記録形態を示した図である。図３は本発明に係るＢＣＡフォーマットを示す図である。
【００１４】
ＢＣＡ２０２は内周側から外周側に向かってバーコード状の縞模様になっていて、センターホール２０３の中心から約２３ｍｍの位置に約１ｍｍの幅で設けられている。そしてそのコードはＲＺ変調方式によって記録され、ディスク再生装置のＰＵＨ１０１によって読み出しが可能とされる（ＢＣＡの詳細は参考文献、National Technical Report VOL43, No3, JUN 1997; "DVDのROMディスクへの個別情報記録技術BCA(Burst Cutting Area)"を参照）。なお、ＤＶＤ−Ｒ／ＲＷに付加されるＤＶＤ−ＲＯＭのＢＣＡに相当するものはＮＢＣＡと呼ばれるが、実質的にはＢＣＡと同等のものであるため本発明ではこれもまとめてＢＣＡと呼ぶ事とする。ＢＣＡ２０２に記録されているデータは、図３で示されるフォーマット構造になっており説明は後述する。ＢＣＡ２０２の詳細な位置は光ディスク媒体によって異なり、ＤＶＤ−ＲＯＭ、及びＤＶＤ−ＲＡＭでは、センターホール２０３の中心から２２．３(＋０／−０．０４)ｍｍ〜２３．５０（±０．０５）ｍｍの位置、ＤＶＤ−Ｒ／ＲＷではセンターホール２０３の中心から２２．７(＋０／−０．０５)ｍｍ〜２３．５（±０．０５）ｍｍの位置、ＨＤ  ＤＶＤでは２２．３(＋０／−０．０４)ｍｍ〜２３．１５（±０．０５）ｍｍの位置となり、全ての光ディスク媒体のＢＣＡ２０２が存在するであろう領域は誤差も含め２２．７ｍｍ〜２３．１ｍｍの位置となる。また、ＢＣＡ２０２が記録されている領域は光ディスク媒体の種類によってはシステム・リードイン領域と重なる部分があり、ここに記録されている信号が、ＰＵＨによって読み出される時に、ＢＣＡパルスの無い部分で高周波信号となって現れる。これはＢＣＡと重なるシステム・リードイン領域にはピットや記録マークが形成されているためで、このピットや記録マークの影響で高周波信号が重畳される。
【００１５】
次に図３について以下に説明する。図３の左側にはＢＣＡに保存するデータの構造が示されている。ＢＣＡコードはＢＣＡ−Ｐｒｅａｍｂｌｅフィールド２、ＢＣＡ−ｄａｔａフィールド４、ＢＣＡ−Ｐｏｓｔａｍｂｌｅフィールド６から構成されている。ここで、ＢＣＡ−Ｐｒｅａｍｂｌｅフィールド２とＢＣＡ−Ｐｏｓｔａｍｂｌｅフィールド６はＢＣＡコードの開始と終了を示すフィールドであり、コピープロテクション情報や、光ディスクの種類を示す情報はＢＣＡ−ｄａｔａフィールド４に保存される。
【００１６】
図３の右側にはＢＣＡ−ｄａｔａフィールド４に保存される内容が示されている。Ｉ０〜Ｉ７はコピープロテクションの情報、Ｉ８〜Ｉ１１は、ＨＤ  ＤＶＤであった場合、Ｉ８に光ディスクの種類をあらわす規格のタイプとバージョンの情報、Ｉ９にＨＤ  ＤＶＤ−Ｒであった場合Ｅｘｔｅｎｄｅｄ  ｐａｒｔ  ｖｅｒｓｉｏｎの情報（ＨＤ  ＤＶＤ−Ｒ以外はリザーブされる）が記録され、Ｉ１０、Ｉ１１はリザーブされる。ＨＤ  ＤＶＤ以外ではＩ８〜Ｉ１１はユーザーデータとなる。なお、ＨＤ  ＤＶＤであった場合、Ｉ８のＢＯＯＫ  ｔｙｐｅのｂ４−ｂ７に「０１００」が記録されていれば再生専用ディスクであり、「０１０１」が記録されていれば書換え型ディスクであり、「０１１０」が記録されていれば追記型ディスクである。
【００１７】
図１の光ディスク媒体１００と図２の光ディスク媒体２０１は同様のものであり、その光ディスク媒体２０１上に記録されたＢＣＡ２０２へ適切なレーザ光を照射した時にＰＵＨ１０１から得られる再生ＲＦ信号１０２は光ディスク媒体の種類により図４乃至図７の様な波形となる。
【００１８】
図４乃至図７は種類の異なる光ディスク媒体のＢＣＡを再生した際の再生ＲＦ信号の波形図である。図４は光ディスク媒体がＨＤ ＤＶＤの場合であり、ＢＣＡパルスが再生されている。図５は光ディスク媒体がＤＶＤ−ＲＯＭの場合であり、ＢＣＡパルスが無い部分で高周波信号（上述したシステム・リードイン領域に記録されたピット／マーク長の再生信号）の重畳がある。図６は光ディスク媒体がＤＶＤ−ＲＡＭの場合であり、これもまたＢＣＡパルスが無い部分でピット／マーク長の再生信号の重畳がある。図７は光ディスク媒体がＤＶＤ−Ｒ／ＲＷの場合であり、ＢＣＡパルスが無い部分でのピット／マーク長の再生信号の重畳が無い。
【００１９】
図５乃至図７はＢＣＡが付加されたＤＶＤ−ＲＯＭ、ＤＶＤ−ＲＡＭ、及びＤＶＤ−Ｒ／ＲＷの波形であるが、これらの光ディスク媒体にはＢＣＡが付加されていないものも存在する。その場合、ＢＣＡ領域（ＢＣＡが付加されている光ディスク媒体のＢＣＡが存在する領域）へレーザ光の照射を行ってもＢＣＡパルスを含む再生ＲＦ信号は得られない。ＨＤ  ＤＶＤにはＢＣＡは必ず付加されており、ＢＣＡ領域へのレーザ光照射で図４の波形が得られる。なお、ＤＶＤ＋Ｒ／ＲＷ、ＣＤ、ＣＤ−ＲＯＭ、ＣＤ−Ｒ／ＲＷの光ディスク媒体についてはＢＣＡが付加される事は無い。
【００２０】
デジタル信号処理回路１０４はＰＵＨ１０１からＢＣＡ２０２へ適切なレーザ光を照射した時に得られる再生ＲＦ信号１０２から重畳されているピット／マーク長の再生信号を取り除くフィルターを備えており、このフィルターは閾値を変更することで取り除く高周波信号の周波数を変更できる。このフィルターは、例えば次の様な構成で実現可能である。すなわち、図８に示されるような再生ＲＦ信号をある閾値と比較し、閾値より小さい場合は‘１’、大きい場合は‘０’を出力する事で２値化し、図９の様な波形を得る。次に図９の波形の‘１’の期間を一定周波数で発振するクロック、例えば３３．８６８８ＭＨｚのクロックで計測する事により図１０の様な波形を得る。図１０の波形をさらに２値化することで、ＲＦ再生信号の中からある一定幅以上の幅を持った信号のみ検出し、図１１に示すようにそれ以外の信号を除去できる。さらに２値化の際の閾値を変更することで、検出対象の信号の幅が変更可能である。つまり、除去できる信号の周波数が変更可能という事である。
【００２１】
各種光ディスク媒体の最小ＢＣＡパルス幅と最大ピット／マーク長の再生信号幅、及びこれらを３３．８６８８ＭＨｚのクロックで計測した場合のクロック数は、ディスクの回転速度をＨＤ  ＤＶＤ標準の回転数（２７６０ｒｐｍ）に固定した場合、図１３に示す通りとなり、ＢＣＡの最小パルス幅は光ディスク媒体の種類に関らずほぼ同じとなる。これに対し、ＢＣＡの再生ＲＦ信号に重畳しているピット／マーク長の再生信号（高周波信号）の周波数は光ディスク媒体の種類により異なっている。このため、デジタル信号処理回路１０４で光ディスク媒体の種類の判別が図１２のフローで示す次の様な手順で可能となる。
【００２２】
図１２は本発明に係る光ディスク媒体の判別フローチャートを示す。
【００２３】
まず、ＰＵＨ１０１を光ディスク媒体１００の中心孔の中心から全ての光ディスク媒体で（ＢＣＡが存在するならば）ＢＣＡデータを読み出せる２３．０ｍｍの地点に移動させ（ステップＳ５０１）、ピット／マーク長の再生信号（高周波信号）除去フィルターの閾値を１０クロック幅のピット／マーク長の再生信号を除去出来ないレベル、例えば５クロック分の幅に設定する（ステップＳ５０２）。閾値をこの様に設定する事で、ピット／マーク長の再生信号（高周波信号）が重畳されていないＨＤ  ＤＶＤ、及びＤＶＤ−Ｒ／ＲＷのＢＣＡ再生ＲＦ信号からはＢＣＡデータが読み出せるものの、ＤＶＤ−ＲＯＭ／ＤＶＤ−ＲＡＭのＢＣＡ再生ＲＦ信号からは重畳されている高周波信号が除去されないためＢＣＡデータを読み出すことが出来なくなる。
【００２４】
次に光ディスクをＨＤ  ＤＶＤ標準速（２７６０ｒｐｍ）で回転させ、適切なレーザ光（青色レーザ／赤色レーザ）を照射する（ステップＳ５０３）。この場合この状態でＢＣＡデータが読み出せるか否かのチェックを行い（ステップＳ５０４）、ＢＣＡデータが読み出せた場合は情報部分の９バイト目のデータから光ディスク媒体がＨＤ  ＤＶＤであるか、若しくはＤＶＤ−Ｒ／ＲＷであるかの判定を行う（ステップＳ５０５）。ＢＣＡデータは図３で示されるフォーマットになっており、情報部分の９バイト目（Ｉ８）にはＨＤ  ＤＶＤであれば“Ｍｅｄｉａ  Ｉｄｅｎｔｉｆｉｃａｔｉｏｎ”が書かれており光ディスク媒体の種別を判断できるようになっている。
【００２５】
ステップＳ５０３でＢＣＡデータが読み出せなった場合は、ピット／マーク長の再生信号除去フィルターの閾値を１０クロック幅のピット／マーク長の再生信号は除去できるが、１５クロック幅のピット／マーク長の再生信号は除去出来ないレベル、例えば１３クロック分の幅に設定する（ステップ５０６）。この閾値設定ではＤＶＤ−ＲＯＭのＢＣＡ再生ＲＦ信号からＢＣＡデータは読み出せるが、ＤＶＤ−ＲＡＭのＢＣＡ再生ＲＦ信号からＢＣＡデータを読み出せない。ＢＣＡデータが読み出せるか否かのチェックを行い（ステップ５０７）、読み出せれば光ディスク媒体はＤＶＤ−ＲＯＭであると確定する。ＢＣＡデータが読み出せない場合は、再度閾値の変更を行う（ステップ５０８）。
【００２６】
閾値の設定は１５クロック幅のピット／マーク長の再生信号を除去できるレベル例えば２０クロック分の幅に設定する。この状態でＢＣＡデータが読み出せれば光ディスク媒体はＤＶＤ−ＲＡＭであると確定する（ステップＳ５０９）。ＢＣＡデータが読み出せない場合は、光ディスクにＢＣＡが付加されていない状態であり、ＣＤ、ＣＤ−ＲＯＭ、ＣＤ−Ｒ／ＲＷ、ＤＶＤ−ＲＯＭ（ＢＣＡ付加なし）、ＤＶＤ−ＲＡＭ（ＢＣＡ付加なし）、ＤＶＤ−Ｒ／ＲＷ、ＤＶＤ＋Ｒ／ＲＷの可能性がある。この場合、ＢＣＡからは光ディスク媒体の種類は判別不能なため公知の別の方法で種類の判別が必要となる。
【００２７】
ここで示した光ディスク媒体判別手順は一例であり、例えば、光ディスクの回転数はＨＤ  ＤＶＤ標準速（２７６０ｒｐｍ）である必要は無いし、ピット／マーク長の再生信号を除去する手段で使用される一定周波数で発振するクロックは３３．８６８８ＭＨｚである必要は無い。光ディスク回転数に応じてＢＣＡ最小パルス幅とピット／マーク長の再生信号最大幅が変化するので、一定周波数で発振するクロックとの関係を用いて最適に閾値を設定すれば良い。また、ＢＣＡ再生ＲＦ信号を得るためのレーザはＤＶＤ−ＲＯＭ、ＤＶＤ−ＲＡＭ、ＤＶＤ−Ｒ／ＲＷ、ＤＶＤ＋Ｒ／ＲＷ若しくはＨＤ  ＤＶＤのデータが読み出せるものであれば構わない。さらに、閾値の変更とＢＣＡデータの読み出しチェックの順番も上述のものに拘る必要は無く、例えば、先に閾値の設定を２０クロック分の幅に設定し、ＢＣＡが付加された光ディスク媒体とＢＣＡが付加されていない光ディスク媒体の判別を行い、ＢＣＡが付加された光ディスク媒体と判明した後にＤＶＤ−ＲＯＭ、ＤＶＤ−ＲＡＭ、ＤＶＤ−Ｒ／ＲＷ、ＨＤ  ＤＶＤの判別を行っても良い。
【００２８】
以上の手順に因れば、波長４０５ｎｍの青色レーザを使用するＨＤ  ＤＶＤと波長６５０ｎｍの赤色レーザを使用するＢＣＡが付加されているＤＶＤ−ＲＯＭ、ＤＶＤ−ＲＡＭは、どちらか片方のレーザを使用するだけで種類の判別が可能となる。また、ＢＣＡが付加されていない赤色レーザを使用する光ディスク媒体とＨＤ  ＤＶＤの判別もどちらか片方のレーザのみの使用で可能となる。ＨＤ  ＤＶＤとＢＣＡが付加されているＤＶＤ−Ｒ／ＲＷとの判別はＢＣＡデータの中身を読まないと判別出来ないが、どちらか片方のレーザのみで済むため、青色レーザで読めなかった場合に赤色レーザで読み直すといった冗長な手順を踏まずに済む。
【００２９】
本発明は、上記実施形態に限定されるものではなく、実施段階では、その要旨を逸脱しない範囲で種々に変形することが可能である。
【図面の簡単な説明】
【００３０】
【図１】本発明の一実施の形態による光ディスク装置の概略構成を示すブロック図。
【図２】光ディスク媒体２０１におけるＢＣＡ（Burst Cutting Area）の記録形態を示した図。
【図３】ＢＣＡフォーマット構造図。
【図４】ＨＤ  ＤＶＤのＢＣＡを再生した際の再生ＲＦ信号の波形図。
【図５】ＤＶＤ−ＲＯＭのＢＣＡを再生した際の再生ＲＦ信号の波形図。
【図６】ＤＶＤ−ＲＡＭのＢＣＡを再生した際の再生ＲＦ信号の波形図。
【図７】ＤＶＤ−Ｒ／ＲＷのＢＣＡを再生した際の再生ＲＦ信号の波形図。
【図８】ＢＣＡを再生した際のＢＣＡ再生ＲＦ信号の振幅を示す波形図。
【図９】図８のＢＣＡ再生ＲＦ信号を閾値によって２値化された波形図。
【図１０】図９の２値化された波形を一定周波数のクロックによって計測した波形図。
【図１１】図１０の波形図の一定幅以上の幅を持つ信号を検出した図。
【図１２】本発明に係る光ディスク媒体の判別フローチャートを示す図。
【図１３】本発明に係る光ディスク媒体における最小ＢＣＡパルス幅と最大ピット／マーク長の再生信号幅を示す図。
【符号の説明】
【００３１】
１０１  ピックアップヘッド
１０３  フロントエンドＬＳＩ
１０４  ディジタル信号処理回路
１０５  プロセッサ
２０２  ＢＣＡ
２０３  センターホール
【図１】
2006155822.tif 000003
【図２】
2006155822.tif 000004
【図３】
2006155822.tif 000005
【図４】
2006155822.tif 000006
【図５】
2006155822.tif 000007
【図６】
2006155822.tif 000008
【図７】
2006155822.tif 000009
【図８】
2006155822.tif 000010
【図９】
2006155822.tif 000011
【図１０】
2006155822.tif 000012
【図１１】
2006155822.tif 000013
【図１２】
2006155822.tif 000014
【図１３】
2006155822.tif 000015